【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
縦方向及び横方向を有し、前ウエスト域と、後ウエスト域と、前記前後ウエスト域の間に位置するクロッチ域と、少なくとも前記クロッチ域に位置する吸収体とを含む使い捨て着用物品において、
前記吸収体は、前記クロッチ域において前記横方向に互いに対向する吸収体両側部と、前記吸収体両側部において前記縦方向へ延びる変形誘導部とを有し、
前記吸収体両側部の前記横方向の外側には、前記縦方向へ延びる弾性のサイドフラップが位置し、
前記サイドフラップの前記横方向の寸法が、前記吸収体の両側縁から前記変形誘導部の側縁までの前記横方向の寸法より大きいことを特徴とする着用物品。
【請求項２】
前記変形誘導部は、前記クロッチ域にのみ位置する請求項１に記載の着用物品。
【請求項３】
前記変形誘導部は、前記縦方向の両端に誘導両端部を有し、
前記前ウエスト域の側に位置する一方の誘導端部が、前記後ウエスト域の側に位置する他方の誘導端部よりも上方に位置するように前記変形誘導部が前記縦方向において偏位している請求項１又は２に記載の着用物品。
【請求項４】
前記後ウエスト域は、前記横方向において離間対向する一対の弾性域と、前記弾性域の間に位置する非弾性域とを有し、
前記弾性域と前記非弾性域との境界線を前記クロッチ域へ延長した一対の仮想線の間に、前記変形誘導部が位置する請求項１〜３のいずれかに記載の着用物品。
【請求項５】
前記吸収体と、前記吸収体の非肌対向面側に位置する外面シートとを含む吸液構造体をさらに有し、
前記サイドフラップは、前記縦方向へ延びる複数条のレッグ弾性体と、前記レッグ弾性体が取り付けられたベースシートとを有し、
前記ベースシートと前記外面シートとが一体に形成される請求項１〜４のいずれかに記載の着用物品。
【請求項６】
前記吸液構造体は、前記吸収体と前記外面シートとの間に介在された不透液性の防漏シートをさらに有し、
前記防漏シートは、前記吸収体の前記両側縁からさらに前記横方向の外側に延出し、
前記サイドフラップの前記横方向の寸法に対する、前記サイドフラップ内に位置する前記防漏シートの前記横方向の寸法が５０％以上である請求項５に記載の着用物品。
【請求項７】
前記レッグ弾性体の間隔は、吸液構造体両側縁に近くなるほど狭くなる請求項５又は６に記載の着用物品。
【手続補正２】
【補正対象書類名】明細書
【補正対象項目名】０００８
【補正方法】変更
【補正の内容】
【０００８】
前記課題を解決するために、本発明は、縦方向及び横方向を有し、前ウエスト域と、後ウエスト域と、前記前後ウエスト域の間に位置するクロッチ域と、少なくとも前記クロッチ域に位置する吸収体とを含む使い捨て着用物品に関する。
【手続補正３】
【補正対象書類名】明細書
【補正対象項目名】００１３
【補正方法】変更
【補正の内容】
【００１３】
前記吸収体と、前記吸収体の非肌対向面側に位置する外面シートとを含む吸液構造体をさらに有し、前記サイドフラップは、前記縦方向へ延びる複数条のレッグ弾性体と、前記レッグ弾性体が取り付けられたベースシートとを有し、前記ベースシートと前記外面シートとが一体に形成される。よって、ベースシートと外面シートとが直接、繋がっているため、サイドフラップの弾性によって着用者の肌にサイドフラップを密着させると、吸収体両側部を着用者の肌に密着させることができ、これによって排泄物が着用物品から漏れるのを抑えることができる。
【手続補正４】
【補正対象書類名】明細書
【補正対象項目名】００２４
【補正方法】変更
【補正の内容】
【００２４】
＜各弾性域＞
前後ウエスト域１３，１４には、各ウエスト弾性体５１，５２によって少なくとも横方向へ伸縮可能な前後ウエスト弾性域３０，４０が形成されている。前後ウエスト弾性域３０，４０は、ウエスト開口縁（外端縁１６ｂ，１７ｂ）側において横方向へ延びる上側弾性域３１，４１と、内端縁１６ａ，１７ａの側において横方向へ延びる下側弾性域３２，４２とを有する。上側弾性域３１，４１及び下側弾性域３２，４２には、それぞれ、横方向へ延びる複数条の第１ウエスト弾性体５１及び第２ウエスト弾性体５２を配置してある。前ウエスト域１３における下側弾性域３２、及び後ウエスト域１４における下側弾性域４２は、横方向において互いに離間対向した一対の弾性域から形成されており、それらの間には前後ウエスト域１３，１４の横方向の中央部に位置する、各ウエスト弾性体が配置されていない又は実質的に非弾性化された状態で配置された非弾性域５５，５６が画定される。このように、前後ウエスト域１３，１４において、非弾性域５５，５６が画定されることによって、下側弾性域４２に位置する第２ウエスト弾性体５２の実質的に弾性力を有する部分は、吸収体６６と平面視において互いに重なっていない。
【手続補正５】
【補正対象書類名】明細書
【補正対象項目名】００３８
【補正方法】変更
【補正の内容】
【００３８】
吸液構造体１２の前後端縁１２ｄ，１２ｅには、それを被覆するカバーシート７９ａ，７９ｂが取り付けてある。カバーシート７９ａ，７９ｂは、質量１３〜２０ｇ／ｍ２の繊維不織布やプラスチックシートなどから形成され、吸液構造体前後端縁１２ｄ，１２ｅと交差した状態で前後ウエストパネル１６，１７の肌対向面にホットメルト接着剤（図示せず）を介して固定される。吸液構造体前後端縁１２ｄ，１２ｅがカバーシート７９ａ，７９ｂに被覆されることによって、着用者の肌に吸液構造体前後端縁１２ｄ，１２ｅが接触することがない。
【手続補正６】
【補正対象書類名】明細書
【補正対象項目名】００４４
【補正方法】変更
【補正の内容】
【００４４】
本実施形態においては、吸収体両側部６６ｃが比較的に幅狭であることによって、変形誘導部７８においてサイドフラップ７０による吸収体６６を留まらせようとする力を分断し、中央部６６ｄを着用者の股間部９に向かって引き上げやすくなる。また、相対的に吸収体６６の中央部６６ｄの幅寸法が大きくなるので、股間部９に密着した中央部６６ｄにおいて体液を十分に吸収、保持することができる。かかる効果を奏するためには、サイドフラップ７０の横方向の寸法Ｗ３は、２５〜４５ｍｍが好ましく、吸収体両側縁６６ｃから変形誘導部７８の側縁までの横方向の寸法Ｗ４は、２０〜４０ｍｍが好ましい。ただし、Ｗ３及びＷ４を上記の数値の範囲内にそれぞれ設定したとしても、サイドフラップ７０の横方向の寸法Ｗ３が、吸収体両側縁６６ｃから変形誘導部７８の側縁までの横方向の寸法Ｗ４より大きいことが好ましく、レッグ弾性域７２の横方向の寸法Ｗ６が、吸収体両側縁６６ｃから変形誘導部７８の側縁までの横方向の寸法Ｗ４より大きいことがより好ましい。
【手続補正７】
【補正対象書類名】明細書
【補正対象項目名】００４６
【補正方法】変更
【補正の内容】
【００４６】
また、変形誘導部７８は、縦方向の両端に誘導両端部７８ａ，７８ｂを有し、前ウエスト域１３の側に位置する一方の誘導端部７８ａが、後ウエスト域１４の側に位置する他方の誘導端部７８ｂよりも上方に位置するように変形誘導部７８が吸収体６６の縦方向において偏位している。よって、クロッチ域１５の前ウエスト域１３側では、吸収体６６を着用者の肌に密着するように変形させて尿等の排泄物がおむつ１０から漏れるのを抑えることができる一方、クロッチ域１５の後ウエスト域１４の側では、吸収体６６の変形を抑え、臀部を広く覆うことができる。
【手続補正８】
【補正対象書類名】明細書
【補正対象項目名】００４７
【補正方法】変更
【補正の内容】
【００４７】
図２を参照すると、吸収体６６は、吸収体両側部６６ｃの間に、吸収性コアが縦方向へ連続する中央部６６ｄを有し、後ウエスト域１４は、横方向において離間対向する一対の弾性域（下側弾性域４２）と、弾性域（下側弾性域４２）の間に位置する非弾性域５６とを有し、弾性域（下側弾性域４２）と非弾性域５６との境界線Ｌ８をクロッチ域１５へ延長した一対の仮想線Ｌ９の間に、変形誘導部７８が位置する。変形誘導部７８がかかる配置態様を有すること、および一対の弾性域（下側弾性域４２）と弾性域（下側弾性域４２）の間に位置する非弾性域５６とを有することによって、着用者又は着用補助者が、おむつ１０の後ウエスト域１４の横方向の中央部を把持して引き上げて後ウエスト域１４を臀部にフィットさせるときに、下側弾性域４２の伸縮作用によって引き上げようとする力がウエスト回り方向へ分散されることはなく、下方に位置する変形誘導部７８の間に位置する中央部６６ｄに直接的に作用され、吸収体６６が変形し、中央部６６ｄが引き上げられて着用者の股間部にフィットさせることができる。
【手続補正９】
【補正対象書類名】明細書
【補正対象項目名】００５４
【補正方法】変更
【補正の内容】
【００５４】
また、上述した実施形態では、前ウエスト域１３の側に位置する一方の誘導端部７８ａが、後ウエスト域１４の側に位置する他方の誘導端部７８ｂよりも上方に位置するように変形誘導部７８が縦方向において偏位しているおむつ１０を説明した。しかし、この発明は、それに限られず、変形誘導部７８は、縦方向へ偏位しないように配置してもよい。